(57)【要約】  揮発性液体用の又は１つ若しくはそれ以上の揮発性成分を含有する液体用の容器を挿入することができるハウジングと、当該容器の開口部にはハウジング内へ延在する芯が嵌合され、当該芯とともに容器がハウジング内に挿入されているとき、芯を完全に又は部分的に覆うことができる可動式覆いキャップと、当該覆いキャップの位置を設定するための調節部材とを備える、車両用、特に自動車用の空気清浄器。本発明によれば、上記芯は、横可動式覆いキャップによって覆われる。このようにして、空気清浄器をより小型に作製することができる。
2007536165.tif 000002
【特許請求の範囲】
【請求項１】
揮発性液体用の又は１つ若しくはそれ以上の揮発性成分を含有する液体用の容器を挿入することができるハウジングと、該容器の開口部には該ハウジング内へ延在する芯が嵌合され、該芯とともに該容器が前記ハウジング内に挿入されているとき、前記芯を完全に又は部分的に覆うことができる可動式覆いキャップと、該覆いキャップの位置を設定するための調節部材とを備える、車両用、特に自動車用の空気清浄器であって、
前記芯は、横可動式覆いキャップによって覆われることを特徴とする、空気清浄器。
【請求項２】
前記覆いキャップは、第２の半開部に閉じ合わさる第１の半開部から成ることを特徴とする、請求項１に記載の空気清浄器。
【請求項３】
前記第２の半開部に対して前記第１の半開部を摺動させる摺動機構をさらに備え、前記調節部材は該第１のキャップを摺動させるノブを含む、請求項１又は２に記載の空気清浄器。
【請求項４】
前記第２の半開部は前記ハウジングに固定されることを特徴とする、請求項２又は３に記載の空気清浄器。
【請求項５】
前記ハウジングには換気開口部が設けられており、芯が該ハウジング内に延在するように配置されている場合は、該換気開口部を介して、空気が、完全に又は部分的に解放された芯に沿って流れることができることを特徴とする、請求項１ないし４のいずれか一項に記載の空気清浄器。
【請求項６】
前記第１の半開部は、前記芯を覆うときは、前記換気開口部を閉鎖するように配置される、請求項４に記載の空気清浄器。
【請求項７】
さらなる換気開口部が前記ハウジングの壁に設けられることを特徴とする、請求項４又は６に記載の空気清浄器。
【請求項８】
ストリップ状要素上に、特に自動車のダッシュボードのファンのガードのストリップ状要素上に、前記空気清浄器を固定する締結要素があることを特徴とする、請求項１ないし７のいずれか一項に記載の空気清浄器。
【請求項９】
前記空気清浄器が車両のファンに接続されているときに、該空気清浄器を通る気流は、前記覆いキャップの位置を設定することにより、及び車両のファンを迅速又は緩徐に切換えること及び／又は車両内の気流の温度を高く又は低く切換えることにより調節可能であることを特徴とする、請求項８に記載の空気清浄器。
【請求項１０】
前記ハウジングは、揮発性液体用の又は１つ若しくはそれ以上の揮発性成分を有する液体用の挿入可能且つ取外し可能な容器を維持するための保持要素を含むことを特徴とする、請求項１ないし９のいずれか一項に記載の空気清浄器。
【請求項１１】
前記ハウジングには、前記容器内の液位を確認するように透視開口部を設けた留付け可能な面板がさらに設けられている、請求項１ないし１０のいずれか一項に記載の空気清浄器。
【請求項１２】
揮発性液体用の又は１つ若しくはそれ以上の揮発性成分を有する液体用の容器であって、該容器の開口部には芯を挿入可能であり、請求項１ないし１１のいずれか一項に記載の空気清浄器と合致する形状を有する、容器。
【請求項１３】
前記芯が前記空気清浄器内に挿入されていない間、該芯を覆う着脱式覆いであって、前記芯が覆われている間、該芯に押し当たるように、該芯よりも小さい寸法を有する着脱式覆いを含む、請求項１２に記載の容器。
【請求項１４】
前記容器内の液位を確認するように少なくとも透明な突起部を設けている、請求項１２又は１３に記載の容器。
【請求項１５】
請求項１２ないし１４のいずれか一項に記載の容器を備える、請求項１ないし１１のいずれか一項に記載の空気清浄器。
【請求項１６】
揮発性液体用の又は１つ若しくはそれ以上の揮発性成分を含有する液体用の容器であって、
前記容器の開口部から延在する芯と、
前記芯を覆う着脱式覆いキャップとを備え、
前記覆いキャップが、前記芯が覆われている間、該芯に押し当たるように、該芯よりも小さい寸法を有することを特徴とする、容器。
【発明の詳細な説明】
【技術分野】
【０００１】
本発明は、揮発性液体用の又は１つ若しくはそれ以上の揮発性成分を含有する液体用の容器を挿入することができるハウジングと、当該容器の開口部にはハウジング内へ延在する芯（wick：ウイック）が嵌合され、当該芯とともに容器がハウジング内に挿入されているとき、芯を完全に又は部分的に覆うことができる可動式覆いキャップと、当該覆いキャップの位置を設定するための調節部材とを備える、車両用、特に自動車用の空気清浄器に関する。
【背景技術】
【０００２】
ＥＰ１０３１４４６は、キャップが芯に沿って軸方向に移動することによって芯の覆いを外す、プリアンブルの特徴を示す空気清浄器を開示している。このようにして、芯が露出し、ボトルに収容されている芳香剤（fragrance：フレグランス）によって浸されている芯が芳香を放って、自動車に気持ちのよい周囲雰囲気を与え、且つ／又は望ましくない臭気を追い出すことができる。開示されている空気清浄器は、取り扱いが容易であり、支障なく自動車内部に取り付けられるほど十分に小さいが、開示されている装置をさらに最小化する要望がある。
【発明の開示】
【発明が解決しようとする課題】
【０００３】
したがって、本発明の目的は、覆い位置で芯を十分に密封する覆いキャップを提供するとともに、覆いが外された位置で芳香剤の適切且つ調節可能な散布を提供する、さらに最小化した空気清浄器を提供することである。
【課題を解決するための手段】
【０００４】
一態様では、上述の目的を達成するために、本発明は請求項１の特徴による空気清浄器を提供する。
【０００５】
芯が横可動式覆いキャップによって覆われる空気清浄器を提供することにより、覆い部材を持ち上げるスペースを空ける必要がもはやないため、空気清浄器の寸法をかなり縮小することができる。若干の横移動により、芯の覆いが外れ、芳香剤を散布することができる。
【０００６】
好適な実施の形態では、覆いキャップは、第２の半開部に閉じ合わさる第１の半開部から成る。さらに、好ましくは、第１の半開部を上記第２の半開部に対して摺動させる摺動機構が設けられ、調節部材は、当該第１のキャップを摺動させるノブを含む。一実施の形態では、第２の半開部はハウジングに固定され得る。
【０００７】
ハウジングには換気開口部が設けられており、芯がハウジング内に延在するように配置されている場合は、当該換気開口部を介して、空気が、完全に又は部分的に解放された芯に沿って流れることができる。一実施の形態では、第１の半開部は、芯を覆うときに換気開口部を閉鎖するように配置され、覆われている間の芯の蒸発が、覆いキャップを設けることによってさらに最小限となり、覆いキャップの周りの空気循環が最小限となる。さらなる換気開口部をハウジングの壁に設けてもよい。
【０００８】
さらに好適な実施の形態では、ストリップ状要素上に、特に自動車のダッシュボードにおけるファンのガードのストリップ状要素上に、空気清浄器を固定する締結要素があってもよい。空気清浄器が車両のファンに接続されているときに、空気清浄器を通る気流は、覆いキャップの位置を設定することにより、及び車両のファンを迅速又は緩徐に切換えること及び／又は車両内の気流の温度を高く又は低く切換えることにより調節可能であり得る。さらに、ハウジングは、揮発性液体用の又は１つ若しくはそれ以上の揮発性成分を有する液体用の挿入可能且つ取外し可能な容器を維持するための保持要素を含み得る。この保持要素は可撓性リップとすることができる。
【０００９】
本発明はさらに、揮発性液体用の又は１つ若しくはそれ以上の揮発性成分を有する液体用の容器に関し、当該容器の開口部には芯が挿入可能であり、当該容器は、先のいくつかの態様のいずれか１つによる空気清浄器と合致する形状を有する。本発明の他の態様は、空気清浄器における用途のための、揮発性液体用の又は１つ若しくはそれ以上の揮発性成分を有する液体用の容器である。本発明によれば、容器は、当該容器の開口部から延在する芯と、当該芯を覆う着脱可能な覆いキャップとを備え、当該覆いキャップは、芯が覆われている間、芯に押し当たる（compress）ように、芯よりも小さい直径を有する。この態様は、本発明の空気清浄器とは別に保護することができることに留意されたい。
【００１０】
本発明に関するさらなる特徴及び利点は図面に示す。
【００１１】
図中、同一又は対応する部品は同じ参照符号で示されている。
【発明を実施するための最良の形態】
【００１２】
図１には、本発明による空気清浄器の一実施形態の概略的な前面斜視図が示されている。空気清浄器１は、図２を参照してさらに説明するように、車両、特に自動車の内部の場所に取り付け可能である。空気清浄器１は、揮発性液体用の容器３が挿入されるハウジング２を備えている。図３を参照してさらに説明するように、覆いキャップを開閉するノブ５を摺動させる摺動機構４がある。空気清浄器は、消費者の好みの色又は外観に合うようにすることができる交換可能な前板６を備えている。前板６は換気出口７を備えており、芯がハウジング２に延在するように配置されるときは、当該換気出口を介して、空気が、完全に又は部分的に解放された芯に沿って流れることができる。
【００１３】
前板はさらに、容器３に設けられた突起１０に合致する開口部９を含む延長蓋８を含む。空気出口７は一部が横向きになっているため、芳香剤が広範の前方向に通される。
【００１４】
図２は、図１に示す空気清浄器の概略的な後面斜視図を示す。後面１１は、ハウジング２を介して空気を移動させる換気開口部分１２を含むことで、空気が完全に又は部分的に解放された芯（図示せず）に沿って流れることができる。後面にはさらに、容器３の後側に設けられた突起にスナップ嵌めする（snap）可撓性固定クリップ１３が設けられている。このようにして、容器は、クリップ１３とスナップ嵌めするまでハウジング２に部分的に導入される。さらに、ストリップ状要素上、特に自動車のダッシュボードのファンのガードのストリップ状要素上に空気清浄器を固定する締結要素１４がある。締結要素１４は、ハウジング２から外側に突出した４つの締付け要素１５を備え、当該締付け要素１５は、互いに対して少なくともほぼ垂直である２つの平面によって互いから分離され、垂直又は水平のストリップ状要素のいずれかでの空気清浄器１の固定を可能にする。締付け要素１５は、少なくともその端部にプラスチック覆い層１７が設けられた金属ストリップ１６で形成される。
【００１５】
図３は、図１の線Ｉ−Ｉに沿った概略的な断面図を示す。図３には、閉鎖位置にある覆いキャップ１８が示されている。ここでは、芯（図４を参照）は、覆いキャップ１８によって完全に覆われているため、容器３に収容されている芳香剤を蒸発させることはあり得ない。覆いキャップ１８は、第２の半開部２０に閉じ合わさる第１の半開部１９を含む。第２の半開部２０はハウジング２に固定されている。第１の覆い部１９は、摺動機構４に沿って移動することができるノブ５に接続されている。この摺動により、覆い部１９が、図４に示すように上記芯の覆いを外すように芯から横移動可能となる。
【００１６】
図４は、覆いキャップ１８が完全に開放位置にある、図３の実施形態を示す。ここでは、芯２１は覆いが外されており、完全又は部分的に解放された芯２３に沿って換気開口部１２を介して換気が行われる。本発明による覆いキャップ１８を配することによって、装置は、芯２３を含む容器２の寸法に従って有効な寸法とされることができるため、キャップ１８に対して軸方向移動を行うのに必要とされる余分な許容差（latitude）がなくて済む。
【００１７】
図５は、図１の実施形態の概略的な分解図を示す。使用の際、ハウジングの後部２２及び前部２３は連結される。しかしながら、前板６は、ユーザが特定の好みに相応するよう空気清浄器の外観を変更することができるように前部２５に交換可能に留め付ける（clip）ことができる。さらに、芯２３を含む容器２は、詰替えタイプ又は交換タイプとすることができ、図２を参照して説明したクリップ要素１３と特に合うようになっている。前板６は、容器内の芳香剤液位を確認するように透視開口部を含む。
【００１８】
図面では、覆いキャップは固定部及び摺動可能部から成るが、他の実施形態は、覆いキャップを摺動又は分割させる覆いキャップを備えていてもよい。かかる変形形態は、添付の特許請求の範囲内にあるものと見なされる。
【図面の簡単な説明】
【００１９】
【図１】本発明の一実施形態の概略的な前面斜視図である。
【図２】本発明の一実施形態の概略的な後面斜視図である。
【図３】図１の線Ｉ−Ｉに沿った、閉鎖位置にある覆いキャップの概略的な断面図である。
【図４】図１の線Ｉ−Ｉに沿った、完全に開放位置にある覆いキャップの概略的な断面図である。
【図５】図１の実施形態の概略的な分解図である。
【図１】
2007536165.tif 000003
【図２】
2007536165.tif 000004
【図３】
2007536165.tif 000005
【図４】
2007536165.tif 000006
【図５】
2007536165.tif 000007
【国際調査報告】
2007536165.tif 000008
2007536165.tif 000009
2007536165.tif 000010
2007536165.tif 000011
2007536165.tif 000012